(57)【要約】【課題】  コンパクトでより安全に効率よく、労力を使わないで防雪柵の主柱建て込みが行える建て込み道具を提供する。【解決手段】  本考案の道具は防雪柵の主柱台座及び主柱に取り付けるための金具と圧力シリンダーのみから構成されている。圧力式主柱建て込み道具を取り付け金具によって、倒してある主柱と主柱台座のしかるべき位置に取り付け、圧力シリンダーを動かして主柱が直立するまで立ち上げ、主柱を主柱台座にピンあるいはボルトで固定してから、主柱建て込み道具をはずす。【選択図】図１
0003151827.tif 000002
【実用新案登録請求の範囲】
【請求項１】
折りたたみ式防雪柵の主柱台座に蝶番で取り付けてある主柱を起こしたり、倒したりするための道具で、駆動部としては、収縮時は約４０ｃｍ長の、最大伸展時には約５５ｃｍになる油圧シリンダー等の直線駆動具を用い、シリンダー下部には主柱台座に取り付けるためのシリンダー取付金具（下）が、シリンダー上部には主柱に取り付けるためのシリンダー取付金具（上）がセットしてあり、それぞれの取付金具はそれぞれの軸を中心に回動できるようになっており、簡単に防雪柵の主柱台座と主柱に取り付けて主柱を起こし、主柱を直立させることができ、主柱を固定させた後は取り外せるようになっている事を特徴とする圧力式主柱建て込み道具。
【請求項２】
シリンダー取付金具（上）の形態は、主柱にもともと取り付けてあるウインチベース取付プレートに嵌め込んで固定できる形態になっていることを特徴とする請求項１記載の圧力式主柱建て込み道具。
【請求項３】
防雪柵の主柱台座に予めシリンダー取付金具（下）を固定するためのロの字形の穴の穿いた固定金具とその反対側に短い丸棒を取り付けておくことを特徴とする請求項１又は２記載の圧力式主柱建て込み道具。
【請求項４】
折りたたみ式防雪柵の主柱にシリンダー取付金具（上）を嵌め込むためのウインチベース取付けプレートのような受け金具が無い時は、予め主柱に受け金具を取り付けておくことを特徴とする請求項１又は３記載の圧力式主柱建て込み道具。
【請求項５】
直線駆動具としてエアシリンダーを用いることになっていることを特徴とする請求項３又は４記載の圧力式主柱建て込み道具。
【請求項６】
直線駆動具として電動ジャッキを用いることになっていることを特徴とする請求項３又は４記載の圧力式主柱建て込み道具。
【考案の詳細な説明】
【技術分野】
【０００１】  防雪柵の主柱の建て込み作業を行う、油圧シリンダーのような直線駆動具を組み込んである道具に関する。
【背景技術】
【０００２】  従来積雪地帯に於いて降雪期には雪による交通障害を緩和するために道路横に防雪柵を設置した。防雪柵は通常は降雪期が終了すると、防雪板を畳んでその場所に積み重ね、主柱も倒して現場にそのまま置き、降雪期前には再びそれを建て上げるようにしている。【０００３】  建て上げ、収納の仕方は様々である。以前から一般的に行われている重機やクレーン車を使用して作業員が行う方法は、どうしても大がかりな作業になり、作業のための広い場所を必要とし、時間もかかり作業員の安全性についても問題が多かった。【０００４】  それに対し、重機やクレーン車を使用しないで、主柱の建て込みが出来る方法が開発され（防雪柵主柱立て込み装置：実新第３１０１５２４号）、作業効率は大幅に向上した。しかしこの装置は主柱とほぼ同じ高さの柱を必要とするので嵩張り、また主柱を起こすためにウインチを手で巻き上げるようになっており、建て込み中には主柱のそばで作業をしなければならないという点では安全面から見て多少問題があった。【０００５】  その問題を改善するものとして提案されたのが油圧式支柱建て込み装置（実新第３１３００５９）で、油圧シリンダーで主柱を起こすための回転アームと支持棒から成り立っており、前述の手動ウインチを使ったものよりは、はるかにコンパクトで、かつ労力を使わないで主柱の建て込みが行えるようになった。【０００６】  しかるに前述の油圧式支柱建て込み装置は移動用の車輪が付いており、作業現場で装置を固定するために主柱台座下部に差し込む長いアームを備えているなど多少嵩張るものである上に、防雪柵の主柱を押し上げるための支持棒は主柱に固定されていない、など安全面に若干の問題があった。
【考案の開示】
【考案が解決しようとする課題】
【０００７】  よりコンパクトで、持ち運びやセッティングが楽で、労力を使わないで主柱の建て込みが行える圧力式主柱建て込み道具を提供する。
【課題を解決するための手段】
【０００８】  本考案は上記問題に鑑みてなされたものであり、圧力シリンダーを利用して主柱を建て込むようにしてある点は前考案と同じであるが、主柱台座に差し込むためのアームや回転アームと支持棒を省き、それを防雪柵の主柱台座及び主柱に取り付けるための金具と圧力シリンダーのみから構成されている。【０００９】  本考案の圧力式主柱建て込み道具を、倒してある主柱と主柱台座のしかるべき位置に取り付け、シリンダーを動かして主柱が直立するまで立ち上げ、主柱を主柱台座にピンあるいはボルトで固定してから、主柱建て込み道具をはずして一連の作業は終了する。
【考案の効果】
【００１０】  本考案の道具は長い柱やアーム等を持たないコンパクトなものであり、簡単に移動及びセットでき、圧力シリンダーはポンプから送られてくる油や空気の圧力によって作動するので、作業者は安全な場所で作業が出来、かつウインチを巻き上げる等の労力は必要とせず、防雪柵の設置、収納を楽に行うことができる。
【考案を実施するための最良の形態】
【００１１】  駆動部としては、収縮時は約４０ｃｍ長で、最大伸展時には約５５ｃｍになる油圧シリンダーを用い、油圧シリンダー下部には主柱台座に取り付けるためのシリンダー取付金具（下）が、油圧シリンダー上部には主柱に取り付けるためのシリンダー取付金具（上）がセットしてあり、それぞれの金具はそれぞれの軸の回りを回動できるようにしてある。防雪柵の主柱台座と主柱に取り付けて主柱を起こし、主柱を直立させて固定させた後は簡単に取り外せるようになっている圧力式主柱建て込み道具。
【実施例】
【００１２】  本考案の主柱建て込み道具を図面に基づいて説明すると、図１は全体の概念を示す斜視図であり、油圧シリンダー１の下部にはシリンダー取付金具（下）２が軸３を中心に回動できるようになっている。また油圧シリンダー１の上部にはシリンダー取付金具（上）４がやはり軸５を中心に回動できるようになっている。この図は油圧を少しかけてシャフト６を少し引き出した状態を表している。【００１３】  図２にシリンダー取付金具（下）２を取り付ける側の防雪柵の主柱台座の部分図を示す。シリンダー取付金具（下）２を差し込むためのロの字形固定用スリット７と固定用丸棒８が主柱台座の前後に取り付けてある。【００１４】  固定用スリット７にシリンダー取付金具（下）２を差し込んだ状態が図３ａに示してある。その裏側が図３ｂに示してある。固定用丸棒８はシリンダー取付金具（下）２の穴を貫通して頭を出し、そこに固定用ピン９を差して抜けないようにする。【００１５】  次にシリンダー取付金具（上）４を取り付ける主柱の取り付け部を図４に示す。ウインチベース取付プレート１０が一対あり、中間部には固定用ナイフを通すための固定ナイフ用スリット１１がそれぞれに穿けてある。またシリンダー取付金具（上）４の固定用ダボ１２を嵌合させるためのホゾ穴１３が４個穿けてある。【００１６】  図５はシリンダー取付金具（上）４をウインチベース取付プレート１０の部分に嵌め込んだ状態を示している。固定用ダボ１２をホゾ穴１３に嵌め込み、固定用ナイフ１４をウインチベース取付プレート１０とシリンダー取付金具（上）４に設けてある固定ナイフ用スリット１１を貫通して差し込みしっかり固定される。【００１７】  図６には本考案の圧力式主柱建て込み道具を主柱及び主柱台座の両方に固定した後、油圧ポンプを作動させて油圧シリンダーを伸長させることにより主柱が少し起きた状態を示している。
【産業上の利用可能性】
【００１８】  以上説明したように、本考案の圧力式主柱建て込み道具は非常にコンパクトで安全に取り扱う事ができるので、以前に比べ作業は容易であり、短時間で作業を終了することができる。
【図面の簡単な説明】
【００１９】
【図１】圧力式主柱建て込み道具斜視図。
【図２】主柱台座の部分図。
【図３】シリンダー取付金具（下）を主柱台座に取り付けた状態を示す部分図。
【図４】主柱のウインチベース取付プレートあたりの部分図。
【図５】シリンダー取付金具（上）を主柱に取り付けた状態を示す部分図。
【図６】圧力式主柱建て込み道具をにより主柱を起こしている状況を示す実施態様図。
【符号の説明】
【００２０】  １  油圧シリンダー
２  シリンダー取付金具（下）
３  軸
４  シリンダー取付金具（上）
５  軸
６  シャフト
７  固定用スリット
８  固定用丸棒
９  ピン
１０  ウインチベース取付プレート
１１  固定ナイフ用スリット
１２  固定用ダボ
１３  ホゾ穴
１４  固定用ナイフ
【図１】
0003151827.tif 000003
【図２】
0003151827.tif 000004
【図３】
0003151827.tif 000005
【図４】
0003151827.tif 000006
【図５】
0003151827.tif 000007
【図６】
0003151827.tif 000008